(57)【要約】      （修正有）【課題】ロッドキーパを船縁に取り付ける時にねじ込み回数が最小限で済む仕組みと、ロッドキーパのアーム部が外力に対して柔らかな上下運動が出来る仕組みを提供する。【解決手段】ロッドキーパーを構成する固定ボルト６を組み込んだ四角柱管５の側面２面に等間隔のキー溝を施し、このキー溝に二股キー４を差し込むことで四角柱管５の高さが固定できるため、船縁下部面まで四角柱管を近づけ、二股キー４で固定することで、ボルトを最小のねじ込み回数で船縁に固定できる。ロッドキーパーのアーム取り付け心棒２を支点にアーム１がシーソー運動出来るようにして、アーム１に取り付けたキックバネと引っ張りバネ７の調節により支点からアンカー方向と手元方向のバランスが保て、竿先に掛かる小さな力にも対応出来き、ロッドキーパーに竿をセットした時の波やうねりによる竿の跳ね上がりや引き込みに竿先が柔らかく対応出来る。【選択図】図１
2015159807.tif 000002
【特許請求の範囲】
【請求項１】
万力方式のねじ込みボルトを、四角柱管の側面二面に複数のキー溝を施した管の中を通して四角柱管先端部又は最後部に施した雌ねじに組み込み管の先端までつら貫き、この四角柱管ごと万力本体の片側基板内を対面するもう一方の基板面に向かって直角に通し、基板上で四角柱管のキー溝に二股キーを差し込み後方への動きを固定してボルトを回すことで締め付けや、緩めることの出来るキー溝付四角柱管とボルトを組み合わせた万力ねじ込み方式。
【請求項２】
ロッドキーパーのアームを２分する所に本体と結合するための軸を通し、ここを支点にしてアームがシーソー運動が出来るようにして、支点軸部にキックバネを取り付け、アーム後方に引きバネの一方を取り付けてもう一方をロッドキーパー本体の下方に取り付けた複数の引きバネ取り付けフックのひとつに取り付け、引きバネの強さの調節ができ、アームの前方へ掛かる加重の均衡を調節することのできるロッドキーパー。
【発明の詳細な説明】
【技術の分野】
【０００１】  本発明は、釣り船の船縁に取り付けるロッドキーパーで、船縁にロッドキーパーを簡単に取り付ける仕組みを備え、更に海面のうねりや波による船の大小のゆれに対応し、釣り竿と仕掛けを安定させるとともに魚の引き込みの強弱にも則対応出来るロッドキーパーに関する。
【背景の技術】
【０００２】  今日のロッドキーパーでは、船縁に取り付ける時に長いボルトを本体の底版よりねじ込んで固定しているが、この仕組みは取り付け時取り外し時にボルトを沢山回転させなければならず、煩わしい面がある。
【０００３】  今日のロッドキーパーでは、釣り竿をセットした状態の時、波やうねりによる船の上下運動で釣り竿が跳ね上がったり引き込まれたりするが、この動きを竿のみのしなやかさで対応している。これにより海中の仕掛けとアンカーが連動して不自然な上下運動をしてしまい、魚の警戒心を高め釣果が落ちる原因にもなる。
この上下運動をかわすために釣り人は手持ちに切り替えて長時間対応する事にもなる。また、静かな海面時でも釣り竿をセットした状態に魚の急な引き込みに竿のしなやかさだけでは対応出来ずハリス切れをおこしたり、魚が違和感を持ちくわえたエサを放してしまったりする事もおこる。
【発明の開示】
【発明が解決しようとする課題】
【０００４】  本発明は、ロッドキーパーを船縁に取り付けたり外したりする時にボルトのねじ込み回数が最小限で済む仕組みの実現と、船の大小の揺れに対応してロッドキーパーのアーム部分が自然の状態に近い上下運動を起こし、竿先の跳ね上がりや引き込みを極力小さく保てると共に魚の急な引き込みに対しても大きな抵抗無く竿先が下方へ引き込まれていく仕組みを持つロッドキーパーの実現が課題である。【０００５】  本発明は、この課題を解決するために、本体取り付けボルトのネジ部の寸法が短くて対応出来る様に本体底部版にはねじ込まず、一気に上部まで押し上げてから締め付けが出来る構造の実現を目的とする。【０００６】  ロッドキーパーのアーム部が竿の長さやアンカーの重さに対応して均衡を保ち、船の揺れや魚の引き込みなどの外部からの力に対して則自然に柔らかな上下運動が出来るロッドキーパーの実現を目的とする。
【課題を解決するための手段】
【０００７】  本発明は、上記の目的を達成するため、四角柱管の相対する側面２面に等間隔に複数のキー溝を切り、上部に本体固定用ボルトを組み込む雌ねじを施し、これを本体底部版より垂直に上部版方向に通し、押し上げてキー溝に二股キーを差し込むことで四角柱管の高さを固定出来る構造で、この四角柱管の中に本体固定用ボルトを通しねじ込み、ボルトの最上部にフリーに回転出来るヘッドを取り付けてボルトを多く回転させなくても船縁に取り付け取り外しが簡単に出来るようにした。【０００８】  本発明は、ロッドキーパーのアーム部を本体に取り付ける軸（アーム取り付け心棒）を支点としてアームが上下シーソー運動をするようにして、この支点軸に前方下方に引かれる力に対して反発するキックバネを組み込み、更には、アーム後方のロッドホルダー付近下部の引きバネ用のフックから本体最下部に取り付けた引きバネ調節パイプの複数ある穴に引きバネを取り付け、釣り竿をセットしたときに竿とアンカー等の荷重に対応して引きバネの掛ける穴の位置を変え、引きバネ力を調節する事により釣り竿の水平方向のバランスを図り、竿先に掛かる小さな力の変化にも則反応出来るようにした。【０００９】  本発明は、引きバネの引っ張り力の異なるスペアバネを数種準備する事により幅の広い対応活用が出来る。【００１０】  本発明は、長い引きバネを使うことで、より柔らかな反応を生み出す事が出来る。【００１１】  本発明は、収納するときに引きバネと引きバネ調節パイプを取り外し、アーム前方部を上方に折りたたむ事でコンパクトにすることが出来る。【００１２】  本発明は、アーム固定ピン穴にピンを差し込みアームのシソー運動を止めることが出来る。【００１３】  本発明は、四角柱管の最下部で固定用ボルトとねじ込み結合させる方式もある。
【発明の効果】
【００１４】  本発明は、四角柱管を押し上げて二股キーを差し込む事で一気に固定用ボルトのヘッドを船縁下部面まで近づける事が出来るのでボルト締めが楽であり取り外しも簡単である。【００１１５】  本発明は、船釣り中の船の上下運動にアームのシーソー運動と竿のしなやかさが対応して海中に投入した仕掛けとアンカーの動きを小さく押さえられので、棚を一定に保つことが必要な釣り方や、エサをくわえてもなかなか飲み込まずに違和感を感じるとエサを放してしまう（ヒラメ釣り等）釣りには最適である。また、アームの設定で竿の平行バランス状態（反発力０）に加え竿先のしなやかさが相合わさって魚がエサをくわえて引き込もうとするときの違和感も小さくする事が出来るので良い釣果につながる。【００１１６】  本発明は、ロッドキーパーに竿をセットした置き竿状態で各種魚釣りに対応出来る。
【図面の簡単な説明】
【００１７】
【図１】全体図
【図２】正面図
【図３】二股キーの図
【図４】四角柱管上部断面と固定用ボルトのねじ込み部及びヘッド断面詳細図
【図５】四角柱管の下部で固定用ボルトとねじ込み結合させた断面詳細図
【符号の説明】
【００１８】  １  アーム
２  アーム取り付け心棒
３  アーム固定用ピン穴
４  二股キー（差し込み、引き抜き用ボルト付）
５  四角柱管（側面２面に等間隔に複数のキー溝有り）
６  固定用ボルト（四角柱管内で上部ネジ部に組み込みフリー回転ヘッドを持つ）
７  引きバネ
８  引きバネ調節穴付パイプ（上部ねじ込みで本体に取り付ける）
１０  引きバネ用フック
１１  キックバネ
【図１】
2015159807.tif 000003
【図２】
2015159807.tif 000004
【図３】
2015159807.tif 000005
【図４】
2015159807.tif 000006
【図５】
2015159807.tif 000007